(57)【要約】本発明はマスカラ液除去装置に関し、より詳細には、まつ毛に塗布されたマスカラをより容易に除去するためのマスカラ液除去装置に関する。本発明のマスカラ液除去装置１は、まつ毛を上下に押圧する上下部把持部と、把持部に装着されてまつ毛のマスカラを除去する吸湿部材３２及び／または櫛歯部材４２と、を含む。かかる構成によれば、吸湿部材３２及び櫛歯部材４２がまつ毛にのみ接触するので、有害の恐れのある化学的成分のマスカラ除去液または水が眼球に浸透するのが防止されて眼球が保護されるなどの有用な効果がある。
2008516645.tif 000002
【特許請求の範囲】
【請求項１】
まつ毛を接触した形で下方向に押圧する第１まつ毛把持部と、
前記第１まつ毛把持部に対応して形成され、まつ毛を接触した形で上方向に押圧する第２まつ毛把持部と
を備え、
前記第１まつ毛把持部は、まつ毛接触面に櫛歯部材を備え、前記第２まつ毛把持部は、まつ毛接触面に吸湿部材を備えることを特徴とする、マスカラ液除去装置。
【請求項２】
まつ毛を接触した形で上方向に押圧する上部把持部と、
前記上部把持部に対応して形成され、まつ毛を接触した形で下方向に押圧する下部把持部と、
前記把持部の少なくとも１つが上下に移動可能なように動力を伝達する伝達手段を含む取っ手部材と、
を備え、
前記上部把持部または前記下部把持部のうちの１つに、マスカラ除去液が含浸可能な吸湿部材が装着され、前記吸湿部材が装着されていない把持部に、まつ毛をすくことができる櫛歯部材が装着されることを特徴とする、マスカラ液除去装置。
【請求項３】
まつ毛を接触した形で上方向に押圧上部把持部と、
前記上部把持部に対応して形成され、まつ毛を接触した形で下方向に押圧する下部把持部と、
前記把持部の少なくとも１つが上下に移動可能なように動力を伝達する取っ手部材と、
を備え、
前記上部把持部及び前記下部把持部に、マスカラ除去液が含浸可能な吸湿部材または櫛歯部材のうち１つが装着されることを特徴とする、マスカラ液除去装置。
【請求項４】
前記吸湿部材と前記櫛歯部材とは、まつ毛の把持時に互いに当接するか、当接後柔軟に変形または弾性的に変形することを特徴とする、請求項２に記載のマスカラ液除去装置。
【請求項５】
前記取っ手部材は、
一端に上部取っ手部が設けられ、他端が前記上部把持部に連結される上部取っ手部材と、
前記上部取っ手部材とはさみ状に結合され、一端に下部取っ手部が設けられ、他端が前記下部把持部に連結される下部取っ手部材と、
を備え、
上部取っ手部材及び下部取っ手部材は、閉じられたり、あるいは広げられたりすることによって動力を伝達することを特徴とする、請求項２または３に記載のマスカラ液除去装置。
【請求項６】
前記取っ手部材は、
本体と、
前記本体の一部分に装着されて前記把持部のうち少なくとも１つに連結される加圧手段と、
を備え、
前記加圧手段は、押圧されて動力を伝達することを特徴とする、請求項２または３に記載のマスカラ液除去装置。
【請求項７】
一端に備えられた上部取っ手部と、前記上部取っ手部から延びる上部本体と、まつ毛の幅以上の間隔を有して前記上部本体から分岐される支持ロッドとを含む上部取っ手部材と、
前記上部取っ手部材の上部本体とはさみ状に交差する下部本体と、前記上部取っ手部に対応して前記下部本体の一端から延びる下部取っ手部と、前記下部本体の他端に回動可能に連結される昇降リンクとを含む下部取っ手部材と、
前記支持ロッドの両端を連結し、マスカラ除去液が含浸可能な吸湿部材が装着されるまつ毛把持部を有する上部把持部と、
前記昇降リンクの一端に連結され、前記上部把持部に整形形成される形状を有し、上下移動可能なように両端部が前記支持ロッドに挿入され、まつ毛をすくための櫛歯部材が装着されるまつ毛把持部を有する下部把持部と、
を備えることを特徴とする、マスカラ液除去装置。
【請求項８】
一端に備えられた上部取っ手部と、前記上部取っ手部から延びる上部本体と、まつ毛の幅以上の間隔を有して前記上部本体から分岐される支持ロッドとを含む上部取っ手部材と、
前記上部取っ手部材の上部本体とはさみ状に交差する下部本体と、前記上部取っ手部に対応して前記下部本体の一端から延びる下部取っ手部と、前記下部本体の他端に回動可能に連結される昇降リンクとを含む下部取っ手部材と、
前記支持ロッドの両端を連結し、マスカラ除去液が含浸可能な吸湿部材が装着されるまつ毛把持部を有する上部把持部と、
前記昇降リンクの一端に連結され、前記上部把持部に整形形成される形状を有し、上下移動可能なように両端部が前記支持ロッドに挿入され、マスカラ除去液が含浸可能な吸湿部材が装着されるまつ毛把持部を有する下部把持部と、
を備えることを特徴とする、マスカラ液除去装置。
【請求項９】
一端に備えられた上部取っ手部と、前記上部取っ手部から延びる上部本体と、まつ毛の幅以上の間隔を有して前記上部本体から分岐される支持ロッドをと含む上部取っ手部材と、
前記上部取っ手部材の上部本体とはさみ状に交差する下部本体と、前記上部取っ手部に対応して前記下部本体の一端から延びる下部取っ手部と、前記下部本体の他端に回動可能に連結される昇降リンクとを含む下部取っ手部材と、
前記支持ロッドの両端を連結し、まつ毛をすくための櫛歯部材が装着されるまつ毛把持部を有する上部把持部と、
前記昇降リンクの一端に連結され、前記上部把持部に整形形成される形状を有し、上下移動可能なように両端部が前記支持ロッドに挿入され、まつ毛をすくための櫛歯部材が装着されるまつ毛把持部を有する下部把持部と、
を備えることを特徴とする、マスカラ液除去装置。
【請求項１０】
前記支持ロッドにはそれぞれ、前記下部把持部が一定の高さ以上上昇することを防止するための阻止バンドが装着されることを特徴とする、請求項７〜９のうちいずれか１項に記載のマスカラ液除去装置。
【請求項１１】
前記吸湿部材は、前記把持部に付着される基底層と、前記基底層に付着される吸湿材とを備えることを特徴とする、請求項２または３のいずれか１項に記載のマスカラ液除去装置。
【請求項１２】
前記吸湿材は、コットン、ガーゼ、面ファスナーのループ部、及びスポンジからなる群より選択されるいずれか１つであることを特徴とする、請求項１１に記載のマスカラ液除去装置。
【請求項１３】
前記吸湿部材は、着脱可能であることを特徴とする、請求項１１に記載のマスカラ液除去装置。
【請求項１４】
前記櫛歯部材は、前記把持部に付着される基底層と、前記基底層に付着されてまつ毛をすくための櫛歯とを備えることを特徴とする、請求項２または３のいずれか１項に記載のマスカラ液除去装置。
【請求項１５】
前記櫛歯は、少なくとも一列に配置されることを特徴とする、請求項１４に記載のマスカラ液除去装置。
【請求項１６】
前記櫛歯部材は、着脱可能であることを特徴とする、請求項１４に記載のマスカラ液除去装置。
【請求項１７】
一端部に第１まつ毛把持部が設けられた第１取っ手部材と、
前記第１まつ毛把持部に対応する形状を有する第２まつ毛把持部が一端部に設けられた第２取っ手部材と、
前記第１取っ手部材と前記第２取っ手部材とを連結する連結手段と、
を備え、
前記第１まつ毛把持部には櫛歯が設けられ、前記第２まつ毛把持部には吸湿部材が設けられることを特徴とする、マスカラ液除去装置。
【請求項１８】
前記連結手段は、前記第１まつ毛把持部と前記第２まつ毛把持部とが鉗子状にまつ毛を把持するように連結することを特徴とする、請求項１７に記載のマスカラ液除去装置。
【請求項１９】
前記第１まつ毛把持部及び第２まつ毛把持部は、把持するまつ毛の形状に適合するするくぼんだ形状を有することを特徴とする、請求項１８に記載のマスカラ液除去装置。
【請求項２０】
前記連結手段は、
前記第１取っ手部材に形成される連結孔と、
前記第２取っ手部材に形成される連結突起と、
を備え、
前記連結突起は、前記連結孔に挿入され、前記第１取っ手部材及び前記第２取っ手部材は前記連結突起を中心に回動することを特徴とする、請求項１９に記載のマスカラ液除去装置。
【請求項２１】
前記連結突起には、所定角度内で弾性を有し、両端部が延長されたバネがさらに装着されることを特徴とする、請求項２０に記載のマスカラ液除去装置。
【請求項２２】
前記第１取っ手部材及び前記第２取っ手部材は、所定角度内で互いに回動されるようにするための角度調節手段をさらに備えることを特徴とする、請求項２１に記載のマスカラ液除去装置。
【請求項２３】
前記まつ毛把持部及び前記櫛歯部材は、前記第１取っ手部材と一体に形成されることを特徴とする、請求項１７に記載のマスカラ液除去装置。
【請求項２４】
前記第２取っ手部材の前記吸湿部材の吸湿材料は、コットン、ガーゼ、面ファスナーのループ部、及びスポンジからなる群より選択されるいずれか１つであることを特徴とする、請求項１７に記載のマスカラ液除去装置。
【請求項２５】
前記吸湿部材は、交換可能であることを特徴とする、請求項１７に記載のマスカラ液除去装置。
【請求項２６】
前記第１取っ手部材と前記第２取っ手部材との間に設けられる弾性部材と、
前記第１取っ手部材及び前記第２取っ手部材のうちの１つに設けられ、は所定角度内で前記取っ手部材を互いに回動されるようにする角度調節手段と、
をさらに備えることを特徴とする、請求項２０に記載のマスカラ液除去装置。
【発明の詳細な説明】
【技術分野】
【０００１】
本発明は、マスカラ液除去装置に係り、より詳細には、まつ毛に塗布されたマスカラ液をより容易に除去する手段を備えるマスカラ液除去装置に関する。
【背景技術】
【０００２】
近年、メイクアップにおいて、メイクをするよりメイクを落とす方がより重要であるという認識が普遍化しつつある。しかしながら、特に顔の中で最も敏感な部位である目の周囲のまつ毛に塗布されるマスカラ液を除去する際に特別な方法がないため、水または一般のメイク落とし用クリームで洗顔するか、あるいは、近年化粧品店で販売されているマスカラ専用除去液が用いられている。
【０００３】
上記方法のうち、最も広く用いられているマスカラ専用除去液の使用法としては、複数回マスカラ専用除去液をコットンに含ませ、そのコットンで直接目の周囲のまつ毛を擦って拭き取った後、再び洗顔をして目元まわりに落ちたマスカラを取る方法がある。
【０００４】
しかしながら、上記のようなマスカラ専用液を用いたマスカラ除去方法には、様々な使用上の不便さや問題がある。第１に、マスカラ除去液が過剰に用いられるということがある。コットンに含まれるマスカラ除去液のうち、実際にマスカラの除去に用いられるのは極く一部であり、その残りは全てコットンに吸収されたまま捨てられるからである。第２に、除去されるマスカラ液が落ちるため、必ず洗顔をしたり、ウェットティッシュを用いて拭き取らなければならないので、水やウェットティッシュの用意がない状況ではマスカラを除去するのが難しいということがある。第３に、まつ毛がたくさん抜けてしまうということがある。マスカラ液は落としにくいので、それを落とすためにまつ毛を強く擦った場合、マスカラ液を落とす度にまつ毛が抜けてしまう。第４に、コットンで目元まわりを強く擦ることで、目元まわりにシワができてしまうということがある。最後に、最も重要な問題として、眼球の損傷をもたらすということがある。マスカラ液を含ませたコットンで直接目を擦るため、目を閉じていてもマスカラ除去液が眼球に染込み、目によくない影響を及ぼしてしまう。
【０００５】
しかしながら、マスカラ除去液には、他の不便さは言うまでもなく、目の健康を損なうというこのような深刻な問題点があるにもかかわらず、マスカラ液を除去する他の特別な方法や従来の技術は全く開示されていない。
【０００６】
一方、本発明に係るマスカラ液除去手段が含まれて用いられる、いわゆるアイラッシュカーラーは、まつ毛を上方にカールして外観を美しく成形する美容器具であるが、このような美容器具は、多様な形態として発明されて広く用いられている。
【０００７】
アイラッシュカーラーに関する周知の技術は、韓国登録実用新案公報登録番号第２０−３１００９０号（特許文献１）、登録番号第２０−０３５５３１６号（特許文献２）、登録番号第２０−０３３８８３０号（特許文献３）及び韓国特許公報公開番号第１０−２００４−００１６５０８号（特許文献４）等に開示されている。以下では図面を参照してそれらの構成及び作用について簡略に説明する。
【０００８】
図１は、実用新案登録番号第２０-３１００９０号（特許文献１）に開示されている、はさみ型アイラッシュカーラーの構造を示す斜視図である。これによれば、アイラッシュカーラーは把持本体１１１から分かれて延びた支持ロッド１１２と、支持ロッド１１２の上端に水平に固定された上部セット部材１１４とからなる第１把持部材１１０と、把持本体１２１から折り曲げられ、２つの軸孔が形成された延長部１２３と、把持本体１２１から延長部１２３へ枢動可能に分岐した昇降ロッド１２４と、延長部１２３に固定された下部セット部材１２６とからなる第２把持部材１２０とを含んで構成されることを特徴とする。
【０００９】
上述した構成のアイラッシュカーラーは、第１把持具１１０と第２把持具１２０とに指を挿入して指を開いたり閉じたりすることにより、上部セット部材及び下部セット部材を用いてまつ毛を挟んだり離したりする。
【００１０】
図２は、実用新案登録番号第２０-０３５５３１６号に開示されている加圧式アイラッシュカーラーの構造を示す斜視図である。これによれば、アイラッシュカーラーは、本体２１０と、本体２１０の上端に取り付けられた基底部２１２及び２１３と、基底部２１２及び２１３のそれぞれに取り付けられたガイド部２１４及び２１５と、ガイド部２１４及び２１５の上部先端に弓状に形成されている第１成形部２１６を有する成形フレームと、一側端が本体２１０に連結され、中央部と本体２１０との間に弾性部材２３０が介在し、他側端が第１成形部２１６と対応するように形成されている第２成形部２２２に連結されるレバー２２０とを含むアイラッシュカーラーである。
【００１１】
上述した構成のまつ毛カーラーは、レバー２２０を手で押すと、第１成形部２１６と第２成形部２２２とが互いに当接し、まつ毛を挟むことができる。
【００１２】
【特許文献１】韓国登録実用新案公報登録番号第２０−３１００９０号
【特許文献２】韓国登録実用新案公報登録番号第２０−０３５５３１６号
【特許文献３】韓国登録実用新案公報登録番号第２０−０３３８８３０号
【特許文献４】韓国特許公報公開番号第１０−２００４−００１６５０８号
【発明の開示】
【発明が解決しようとする課題】
【００１３】
本発明は、上記問題を解決するためになされたものであって、その目的は、眼球に損傷を与えることなく、まつ毛に塗布されたマスカラ液を容易に除去することが可能なマスカラ液除去装置を提供することにある。また、本発明の他の目的は、まつ毛に塗布されたマスカラ液を残さずきれいに除去することが可能なマスカラ液除去装置を提供することにある。
【課題を解決するための手段】
【００１４】
本発明のある観点によれば、まつ毛を接触した形で下方向に押圧する第１まつ毛把持部と、第１まつ毛把持部に対応して形成されてまつ毛を接触した形で上方向に押圧する第２まつ毛把持部と、を備え、第１まつ毛把持部は、まつ毛接触面に櫛歯部材を備え、第２まつ毛把持部は、まつ毛接触面に吸湿部材を備えるマスカラ液除去装置が提供される。
【００１５】
本発明の別の観点によれば、まつ毛を接触した形で上方向に押圧する上部把持部と、上部把持部に対応して形成され、まつ毛を接触した形で下方向に押圧する下部把持部と、把持部の少なくとも１つが上下に移動可能なように動力を伝達する伝達手段を含む取っ手部材と、を備え、上部把持部または下部把持部のうちの１つに、マスカラ除去液が含浸可能な吸湿部材が装着され、吸湿部材が装着されていない把持部に、まつ毛をすくことができる櫛歯部材が装着されるマスカラ液除去装置が提供される。
【００１６】
さらに、本発明の別の観点によれば、まつ毛を接触した形で上方向に押圧する上部把持部と、上部把持部に対応して形成され、まつ毛を接触した形で下方向に押圧する下部把持部と、把持部の少なくとも１つが上下に移動可能なように動力を伝達する取っ手部材と、を備え、上部把持部及び下部把持部には、マスカラ除去液が含浸可能な吸湿部材または櫛歯部材のうち１つが装着されるマスカラ液除去装置が提供される。
【００１７】
このとき、まつ毛の把持時に吸湿部材と櫛歯部材とは互いに当接するか、当接した状態で３ｍｍ以下に柔軟に変形または弾性変形はすることが好ましい。
【００１８】
この場合、取っ手部材は、一端に上部取っ手部が設けられ、他端が前記上部把持部にと連結される上部取っ手部材と、上部取っ手部材とはさみ状に結合され、一端に下部取っ手部が設けられ、他端が下部把持部に連結される下部取っ手部材とを備え、上部取っ手部材及び下部取っ手部材具は、閉じられたり、あるいは広げられたりすることによって、動力を伝達するように構成されてもよい。
【００１９】
さらに、取っ手部材は、本体と本体の一部分に装着されて把持部のうち少なくとも１つに連結される加圧手段と、を備え、加圧手段は、押圧されて動力を伝達するように構成されてもよい。
【００２０】
また、本発明の別の観点によれば、一端部に第１まつ毛把持部が備えられた第１取っ手部材と、第１まつ毛把持部と対応する形状を有する第２まつ毛把持部が一端部に備えられた第２取っ手部材と、第１取っ手部材及び第２取っ手部材を連結する連結手段と、を備え、第１まつ毛把持部には櫛歯が備えられ、第２まつ毛把持部には吸湿部材が備えられるマスカラ液除去装置が提供される。
【発明の効果】
【００２１】
以上説明したように本発明によれば、吸湿材と櫛歯がまつ毛にのみ接触するので、有害の恐れがある化学的マスカラ除去液または水が眼球に浸透することを防止し眼球を保護することができる。
【発明を実施するための最良の形態】
【００２２】
以下、実施例が示された図面を参照しつつ、本発明をより詳細に説明する。尚、本発明の技術的思想は後述する実施例に限定されるのではなく、本発明の技術分野における通常の知識を有する者が容易に変形し得る範疇を含むものであってもよい。
【００２３】
図３は、本発明に係るマスカラ液除去装置の第１の実施形態を示す斜視図である。図３を参照すると、本実施形態に係るマスカラ液除去装置１は、大まかには、上部把持部材１０と、上部把持部材１０に対応する下部把持部材２０と、上部把持部材１０に連結される上部把持部３０と、下部把持部材２０に連結される下部把持部４０とを含んで構成される。
【００２４】
上部把持部材１０は、一端に形成された上部把持部１２と、上部把持部１２から延びる上部本体１４と、上部本体１４からまつ毛の幅以上の間隔をおいて分岐する支持ロッド１６とを含んで構成される。
【００２５】
上部把持部１２は、通常、指を挿入できるリング状に構成されるが、図示されたリング状に限定されない。
【００２６】
上部把持部１２から延びる上部本体１４は、上部把持部１２に挿入された指の力を上部把持部３０に伝達し、上部本体１４の上部把持部１２が形成された側の反対側には、後述する下部本体２４に形成された回動軸２３が連結される鉗子状連結部１５が形成されている。このとき、鉗子状連結部１５には回動軸２３が差し込まれる孔１３が形成されている。
【００２７】
鉗子状連結部１５から二股に分かれる支持ロッド１６は、まつ毛の幅以上の間隔になるまで左右に次第に広がり、まつ毛の幅以上の間隔に広がった状態の一定の間隔に維持される形状である。このとき、支持ロッド１６のそれぞれには阻止バンド１７が備えられ、阻止バンド１７は、後述する下部把持部４０が一定の高さ以上に上昇するのを防止する。
【００２８】
下部把持部材２０は、上部把持部材１０の上部本体１４とはさみ状に交差する下部本体２４と、下部本体２４の一端から延長されて上部把持部１２に対応する下部把持部２２と、下部本体２４の他端部と回動可能に連結される昇降リンク２６とを含んで構成される。
【００２９】
下部本体２４の一端部に形成される下部把持部２２は、上部把持部１２に対応するリング状の形状を有し、下部本体２４の他端部には、昇降リンク２６と連結させるための穿孔２７が形成されている。また、上部本体１４の端部に形成された孔１３に差し込まれる回動軸２３が、孔１３に対応する位置に形成されている。
【００３０】
下部本体２４の一端部に連結される昇降リンク２６は、穿孔２７に差し込まれて下部本体２４に対して回動可能に連結され、昇降リンク２６の両端は、下部把持部４０に連結される。このとき、昇降リンク２６は、略Ｖ字形状を有し、中心部分が穿孔２７に差し込まれ、二股に分かれて両端が下部把持部４０に連結されるが、このような形状に限定されるものではない。
【００３１】
支持ロッド１６の端部を互いに連結する上部把持部３０は、眼球の形状に対応するように弓状に形成されている。上部把持部３０は、まつ毛を下方に押圧する手段であるだけでなく、支持ロッド１６が広がるのを防止する機能を有する。
【００３２】
また、上部把持部３０には、マスカラ除去液が含浸される吸湿性の吸湿部材３２が装着される。吸湿部材３２は、基底層３３と基底層３３に付着される吸湿材３４とを含んで構成される。基底層３３は、吸湿材３４が上部把持部３０に接着されるようにシリコンなどの材料で構成されてもよい。吸湿材３４は、吸湿性があり目に無害な材質、例えば、コットン、ガーゼ、ベルクロ（Ｖｅｌｃｒｏ：登録商標、面ファスナー）のループ部、スポンジなど、いずれの材料で構成されてもよい。一方、吸湿部材３２は、上部把持部３０に完全に固定されるように構成されてもよく、交換可能な脱着式に構成されてもよい。
【００３３】
昇降リンク２６に連結される下部把持部４０は、まつ毛を上方に押圧し、上部把持部３０に合致するように形成される。従って、本実施例では上部把持部３０が弓状で形成されているので、下部把持部４０も弓状で形成されることが好ましい。下部把持部４０のまつ毛と接触する側の表面には櫛歯部材４２が装着され、櫛歯部材４２は、下部把持部４０に接着される基底層４３と、基底層４３にピンで固定された多数の櫛歯４４とを含んで構成される。櫛歯４４が形成されるのは、上部及び下部把持部がまつ毛を挟んでマスカラを除去する際に、櫛歯４４がまつ毛の間をすくことで、マスカラをより効率よく除去するためである。櫛歯４４は、櫛歯状を有するように形成されることのできる弾力性のある材料であればどのような材料であってもよく、用途に応じて、稠密あるいは疎らに構成でき、１列または２列以上に形成されてもよい。櫛歯部材４２もまた、下部把持部４０に完全に固定されるように構成されてもよく、交換可能に脱着式に構成されてもよい。
【００３４】
次に、本実施形態に係るマスカラ液除去装置の使用方法を図３、図４を参照して説明する。図３は、上述した通りであり、図４は、本発明に係るマスカラ液除去装置の動作を示す拡大斜視図である。
【００３５】
本実施形態に係るマスカラ液除去装置１は、上部把持部３０及び下部把持部４０に装着される吸湿部材３２及び櫛歯部材４２の機能及び作用を除いては、従来のアイラッシュカーラーと同様であり、当該技術分野における当業者にとっては自明であるので、吸湿部材３２及び櫛歯部材４２の用途を中心に説明する。
【００３６】
マスカラの使用者がまつ毛５０に付着されたマスカラ液を除去するためには、マスカラ液除去装置１の各把持部１２及び２２に指を挿入して広げると、各把持部１２及び２２は互いに離れる。このとき、吸湿材３４にマスカラ除去液を含浸させる。マスカラ除去液には市販の専用除去液または水などを用いてもよい。マスカラ除去液を吸湿材３４に含浸させた後、上部把持部３０及び下部把持部４０の間にまつ毛５０を入れる。
【００３７】
次いで、まつ毛５０を入れた後、指を閉じると、まつ毛５０は、上部把持部３０の吸湿部材３２と下部把持部４０の櫛歯部材４２とに接触する。このとき、吸湿部材３２に含浸されたマスカラ除去液は、まつ毛５０に浸透し、マスカラ液を溶解させ、櫛歯部材４２の櫛歯４４は、まつ毛５０の間にまつ毛５０をすくように入り込む。
【００３８】
このとき、指を一定程度近づけると、それ以上近づかなくなるが、これは、支持ロッド１６に形成された阻止バンド１７に下部把持部４０が引っかかり、それ以上上昇できなくなるからである。これにより、下部把持部４０の櫛歯４４が上部把持部３０に当接して損傷し、櫛歯４４が横に曲がって眼球に入るのを防止することができる。好ましくは、阻止バンド１７は、櫛歯が最も高く上昇しても櫛歯４４が吸湿材３４に当接するように設けられる。ただし、より速やかにまつ毛５０のマスカラ液を除去するためには、まつ毛５０のマスカラ液を除去するために櫛歯４４が柔軟にまたは弾性的に変形して吸湿材３４に接触するようにしてもよい。しかし、この場合にも、櫛歯が過度に曲がってまつ毛５０を傷つけることがないように、下部把持部４０は、当接した状態で約３ｍｍ程度さらに上昇するように構成されてもよい。
【００３９】
上述したように、上部把持部３０、下部把持部４０がまつ毛５０を完全に把持した後、マスカラ液除去装置１を図４の矢印方向に徐々に引き出せば、マスカラ除去液によって溶解したマスカラ液が吸湿材３４及び櫛歯４４に付いて除去される。このような、除去過程を２〜３回繰り返すと、より完全にマスカラ液を除去できる。
【００４０】
図５は、本発明に係るマスカラ液除去装置の第２の実施形態の斜視図を示している。それによれば、第２の実施形態は、吸湿部材３２の代わりに上部把持部３０に他の櫛歯部材４２が装着されることを除けば、第１の実施形態と他の部分では同一な構成を有する。櫛歯部材４２はある程度の吸湿性を有するため、第２の実施形態は、第１の実施形態と同一の機能及び作用を期待できる。
【００４１】
また、図６に示すように、上部把持部３０及び下部把持部４０は、吸湿部材３２ににいずれも櫛歯部材４２を構成することも可能であり、このとき、櫛歯部材はマスカラ液を含浸する機能を同時に行う。
【００４２】
以下では、本発明の他の側面に係る第４実施形態について、図７及び８を参照しつつ、より詳細に説明する。図７は、本発明の第４実施形態に係るマスカラ液除去装置の分解斜視図を示す。第４実施形態に係るマスカラ液除去装置は、第１取っ手５０と、第２取っ手６０と、第１取っ手５０及び第２取っ手６０を連結する連結手段とを含み構成されている。
【００４３】
第１取っ手５０は、その一端部に形成される第１まつ毛把持部５１を含む。第１まつ毛把持部５１は、本実施形態においては、前方に凹んだ三日月状を有する。これは目周囲の顔面への密着を容易にするためであるが、その形状に制限されるのではない。第１まつ毛把持部５１は対向する形状の後述する第２まつ毛把持部６１と互いに密着してまつ毛を把持し、第１まつ毛把持部５１の第２まつ毛把持部６１と対向する面には櫛歯部材５２が備えられている。このとき、櫛歯部材５２は多様な方式により第１まつ毛把持部５１に形成されるか、付着され得るが、製造工程の便宜上、射出時に取っ手と一体に形成することが好ましい。
【００４４】
第２取っ手６０は、その一端部に形成される第２まつ毛把持部６１を含む。第２まつ毛把持部６１は、第１取っ手５０の第１まつ毛把持部５１と互いに対応する形状であり、第１まつ毛把持部５１と対向する面には、水またはマスカラ除去液を吸収する吸湿部材６２が備えられる。このとき、吸湿部材６２は、摩滅または消耗することを考慮して、交換できる着脱式にすることが好ましく、吸湿材料としては、コットン、ガーゼ、ベルクロ（Ｖｅｌｃｒｏ：登録商標、面ファスナー）のループ部、スポンジなどで形成されてもよい。
【００４５】
連結手段は、第１取っ手５０と第２取っ手６０とを連結する手段であり、それにより第１取っ手５０と第２取っ手６０とが互いに分離しない１つの構造体として構成される。このとき、連結手段は、第１取っ手５０の第１まつ毛把持部５１及び第２取っ手６０の第２まつ毛把持部６１がまつ毛を把持する鉗子としての役割を果たすように構成されることが好ましい。第４実施形態に係る連結手段は、第１取っ手５０に形成される連結孔７１と第２取っ手６０に形成される連結突起７２を含んで構成され、連結孔７１に連結突起７２が嵌合されることで、第１取っ手５０と第２取っ手６０は互いに回動できるようになる。
【００４６】
このとき、所定の角度を成して両端部がそれぞれ延びたバネ７３が連結突起７２に嵌合されることができる。バネ７３は、第１まつ毛把持部５１と第２まつ毛把持部６１とがまつ毛を把持しない場合には、開いた状態に維持し、まつ毛を把持する場合には、閉じるように機能する。一方、バネを用いて第１取っ手５０及び第２取っ手６０に弾性を与える構造は、上述した方式以外にも当業者により多様な方法により実施され得る。例えば、第１取っ手５０と第２取っ手６０との間にバネを挿入する等の方法を用いることができる。
【００４７】
また、第１取っ手５０と第２取っ手６０が所定角度以上に広がらないように調節する角度調節手段が備えられることが好ましい。本実施形態において、角度調節手段は、第１取っ手５０の第１まつ毛把持部５１と反対側の端部から延びる第１延長部５３と、第２取っ手６０の第２まつ毛把持部６１の反対側の端部から延びる第２延長部６３とを含み構成される。第１取っ手５０の第１延長部５３は、第１取っ手５０から延長方向に所定角度曲がって形成され、第２延長部６３は第２取っ手６０から直線方向に延びて形成され、第１取っ手５０が離された場合に、第１延長部５３が第２延長部６３に接触してそれ以上広がらないようにする。
【００４８】
以下では、本発明の前述した実施形態に係るマスカラ液除去装置の動作を説明する。
【００４９】
使用されていない状態のとき、マスカラ液除去装置は、第１まつ毛把持部５１と第２まつ毛把持部６１とがバネの弾性によって所定角度広がった状態に維持される。この状態で、使用者がマスカラ液除去装置の第１まつ毛把持部５１及び第２まつ毛把持部６１の間にまつ毛を挿入し、手で第１取っ手５０と第２取っ手６０とを互いに押圧すると、第１取っ手５０と第２取っ手６０とが互いに接触してまつ毛を把持する。まつ毛を把持した後、マスカラ液除去装置を前方へ滑らかに移動させると、まつ毛に塗布されているマスカラ液が櫛歯部材５２及び吸湿部材６２によって拭き取られながら除去される。このとき、吸湿部材６２に水またはマスカラ除去液を含ませて拭き取ると、より容易にまつ毛に塗布されているマスカラ液を除去できるようになる。マスカラ液を除去した後、第１取っ手５０及び第２取っ手６０を離すと、第１まつ毛把持部５１と第２まつ毛把持部６１とは、バネ７３によって元の所定角度に広がった状態に戻る。
【００５０】
一方、実施例とは異なり、韓国実用新案登録番号第２０−０３５５３１６号などに開示されているように、本発明に係るマスカラ液除去装置は、本発明の範疇を逸脱しない範囲で取っ手具に加圧手段を備えて、まつ毛を把持する加圧型に構成するようにしてもよい。即ち、加圧手段（または図２に示すレバー２２０）は、把持部のうち少なくとも１つに連結されるように取っ手の本体に装着され、まつ毛を把持するように動力を伝達するように構成されてもよい。従って、まつ毛のマスカラ液を除去するに際して、本発明が櫛歯部材と吸湿部材を用いるということを応用して、当業者であれば多様なマスカラ液除去装置を製造し得ると予想される。
【００５１】
以上、添付図面を参照して本発明の好ましい実施例を説明したが、本発明はかかる実施例に限定されるものではなく、特許請求の範囲の記載から把握される技術的範囲において種々の実施形態に変更可能である。
【産業上の利用可能性】
【００５２】
本発明に係るマスカラ液除去装置の効果は以下の通りである。第１に、吸湿材と櫛歯がまつ毛にのみ接触するので、有害の恐れがある化学的マスカラ除去液または水が眼球に浸透することを防止し眼球を保護することができる。
【００５３】
第２に、マスカラ除去液がまつ毛にのみ選択的に浸透するため、マスカラ除去液の消費を低減するとともに、まつ毛のマスカラ液をより迅速かつ完全に除去することができる。
【００５４】
第３に、マスカラ除去液として販売される製品の代わりに水を用いる従来の除去方法よりも顕著な効果を奏するだけでなく、コットン、その他のクリームなどを使用しないため、コストを顕著に低減することができる。
【００５５】
第４に、マスカラの除去過程中にまつ毛が抜けることを防止し、まつ毛の美容上においても利点を有する。
【図面の簡単な説明】
【００５６】
【図１】従来のアイラッシュカーラーの構造を示す斜視図である。
【図２】従来のアイラッシュカーラーの他の構造を示す斜視図である。
【図３】本発明の第１の特徴に係る第１の実施形態のマスカラ液除去装置を示す斜視図である。
【図４】本発明の第１の実施形態に係るマスカラ液除去装置の動作を示す拡大斜視図である。
【図５】本発明の第１の特徴に係る第２の実施形態のマスカラ液除去装置を示す斜視図である。
【図６】本発明の第１の特徴に係る第３の実施形態のマスカラ液除去装置を示す斜視図である。
【図７】本発明の他の特徴に係る第４の実施形態のマスカラ液除去装置を示す斜視図である。
【図８】本発明の第４の実施形態に係るマスカラ液除去装置の動作を示す拡大図である。
【符号の説明】
【００５７】
１        マスカラ液除去装置
１０      上部把持部材
１２      上部把持部
１４      上部本体
１６      支持ロッド
２０      下部把持部材
２２      下部把持部
２４      下部本体
２６      昇降リンク
３０      上部把持部
３２      吸湿部材
３３      基底層
３４      吸湿材
４０      下部把持部
４２      櫛歯部材
４３      基底層
４４      櫛歯
５０      第１取っ手
５１      第１まつ毛把持部
５２      櫛歯部材
６０      第２取っ手
６１      第２まつ毛把持部
６２      吸湿部材
７１      連結孔
７２      連結突起
７３      バネ
【図１】
2008516645.tif 000003
【図２】
2008516645.tif 000004
【図３】
2008516645.tif 000005
【図４】
2008516645.tif 000006
【図５】
2008516645.tif 000007
【図６】
2008516645.tif 000008
【図７】
2008516645.tif 000009
【図８】
2008516645.tif 000010
【国際調査報告】
2008516645.tif 000011